(57)【特許請求の範囲】
【請求項１】
着用者の頭部を被覆する頭部被覆部を有するとともに、前記頭部被覆部に前記着用者が周囲を認識できる視覚用窓部を有する防護衣であって、
前記視覚用窓部の周辺に形成されたポケット口と、その開口端部が前記ポケット口と一体的に接合されている袋状のポケット本体部と、を有し、前記着用者が前記ポケット口から手を挿入して前記ポケット本体部で前記視覚用窓部の内側面に生じた曇りを拭うことができる曇り除去部を有する、
ことを特徴とする防護衣。
【請求項２】
前記ポケット口が、前記頭部被覆部の左右の側面部にそれぞれ形成されている、
ことを特徴とする請求項１記載の防護衣。
【請求項３】
前記ポケット口が、前記頭部被覆部の頭頂部に形成されている、
ことを特徴とする請求項１記載の防護衣。
【請求項４】
前記ポケット本体部の内側面の先端部に、前記着用者の指を挿入して前記指をかけることができるリング部を有する、
ことを特徴とする請求項１乃至３の何れか１項に記載の防護衣。
【請求項５】
前記ポケット本体部は、前記ポケット口から前記頭部被覆部の外側に突出、若しくは、前記ポケット口から前記頭部被覆部の内側に没入可能である、
ことを特徴とする請求項１乃至４の何れか１項に記載の防護衣。
【請求項６】
前記ポケット本体部の外側面に、吸湿性部材が取り付けられている、
ことを特徴とする請求項１乃至５の何れか１項に記載の防護衣。
【請求項７】
前記吸湿性部材は、前記ポケット本体部に対して交換可能である、
ことを特徴とする請求項６記載の防護衣。
【請求項８】
前記ポケット本体部の外側面に、前記視覚用窓部の内側面に生じた曇りを拭うことができるワイパー部材が取り付けられている、
ことを特徴とする請求項１乃至５の何れか１項に記載の防護衣。
【請求項９】
前記ワイパー部材は、ゴム製である、
ことを特徴とする請求項８記載の防護衣。
【請求項１０】
前記ワイパー部材は、前記ポケット本体部に対して交換可能である、
ことを特徴とする請求項８又は９記載の防護衣。
【請求項１１】
前記ポケット口から前記ポケット本体部の内側面の先端部までの深さは、前記着用者の指を挿入できる深さである、
ことを特徴とする請求項２記載の防護衣。
【請求項１２】
その一方の端部が前記ポケット本体部の内側面に固着され、その他方の端部は前記ポケット口から露出しており、前記着用者が前記他方の端部を操作することで、前記視覚用窓部の内側面に生じた曇りの掻き取り操作をする、操作アーム部を有する、
ことを特徴とする請求項１乃至１１の何れか１項に記載の防護衣。
【請求項１３】
前記操作アーム部は、略棒状のアーム本体を有し、
前記アーム本体の、前記ポケット口から露出している前記他方の端部に、前記着用者が把持する、前記アーム本体よりも幅広形状の把持部を有する、
ことを特徴とする請求項１２記載の防護衣。
【請求項１４】
前記防護衣は、細菌乃至ウィルスの前記着用者への感染を防護する感染防護衣、化学薬品の前記着用者への汚染を防止する化学防護衣、若しくは、放射線の前記着用者への被爆を防止する放射線防護衣のいずれかである、
ことを特徴とする請求項１乃至１３の何れか１項に記載の防護衣。
【請求項１５】
着用者の頭部を被覆する頭部被覆部に形成され、前記着用者が周囲を認識できる視覚用窓部、の周辺に形成されたポケット口と、
その開口端部が前記ポケット口と一体的に接合されている袋状のポケット本体部と、を有し、
前記着用者が前記ポケット口から手を挿入して前記ポケット本体部で前記視覚用窓部の内側面に生じた曇りを拭うことができる、曇り除去構造。
【発明の詳細な説明】
【技術分野】
【０００１】
本発明は、防護衣及び曇り除去構造に関する。より詳しくは、全身を被覆するつなぎ服タイプの防護衣、及び、その防護衣に取り付けられるポケット形状の曇り除去構造に関する。
【背景技術】
【０００２】
航空機の搭乗員は、病原菌や有毒化学物質等により汚染された区域を飛行する際は、身体を病原菌等から保護するために、例えば、特許文献１に記載されるような感染防護衣を着用することがある。この感染防護衣は、全身を被覆するつなぎ服タイプの防護衣であり、搭乗員は頭部に設けられた透明な視覚用窓部を介して周囲を認識する。
【０００３】
この感染防護衣を搭乗員が着用していると、搭乗員の呼気等が透明な視覚用窓部に吹きかかり、視覚用窓部の透明性が悪化して、搭乗員が周囲を認識しにくくなる。特許文献１記載の感染防護衣では、空気濾過装置により感染防護衣内部の空気の流通を考慮しているものの、搭乗員の呼気等によるマスクの透明性悪化を改善することは十分ではなく、さらには空気濾過装置を設けることによる製造コスト高や重量増加等の問題がある。
【０００４】
一方、架空配電線工事等の高圧活線作業において、作業者の安全向上及び作業環境の改善を図るために、作業者は、例えば、特許文献２に記載されるような全身を被覆するつなぎ服タイプの活線作業用防護服を着用する。作業者は、頭部を被覆するヘルメットに形成された透明部を介して周囲を認識する。
【０００５】
この活線作業用防護服を作業者が着用していると、作業員の呼気等がヘルメットの透明部に吹きかかり、透明性が悪化して、作業員が周囲を認識しにくくなる。特許文献２記載の活線作業用防護服では、送風取り入れ口を設けることで活線作業用防護服内部の空気の流通を考慮しているものの、上述した感染防護衣と同様に、透明性悪化の改善の困難性、製造コスト高、重量増加等の問題がある。
【先行技術文献】
【特許文献】
【０００６】
【特許文献１】特開２００５−００２５４５号公報
【特許文献２】特開平１０−２８０２１１号公報
【発明の概要】
【発明が解決しようとする課題】
【０００７】
本発明は、このような課題に鑑みなされたものであり、着用者が、全身を被覆するつなぎ服タイプの防護衣を着用し、着用者の頭部を被覆する頭部被覆部に形成された視覚用窓部が着用者の呼気等で曇ったとしても、迅速かつ的確に、視覚用窓部の曇りを除去できる簡易な構造の防護衣、及び、そのような防護衣に取り付けられる曇り除去構造を提供することを目的とする。
【課題を解決するための手段】
【０００８】
上記目的を達成するため、この発明の第一の観点に係る防護衣は、
着用者の頭部を被覆する頭部被覆部を有するとともに、前記頭部被覆部に前記着用者が周囲を認識できる視覚用窓部を有する防護衣であって、
前記視覚用窓部の周辺に形成されたポケット口と、その開口端部が前記ポケット口と一体的に接合されている袋状のポケット本体部と、を有し、前記着用者が前記ポケット口から手を挿入して前記ポケット本体部で前記視覚用窓部の内側面に生じた曇りを拭うことができる曇り除去部を有する、ことを特徴とする。
【０００９】
また、前記ポケット口が、前記頭部被覆部の左右の側面部にそれぞれ形成されている、ことも可能である。
【００１０】
また、前記ポケット口が、前記頭部被覆部の頭頂部に形成されている、ことも可能である。
【００１１】
また、前記ポケット本体部の内側面の先端部に、前記着用者の指を挿入して前記指をかけることができるリング部を有する、ことも可能である。
【００１２】
また、前記ポケット本体部は、前記ポケット口から前記頭部被覆部の外側に突出、若しくは、前記ポケット口から前記頭部被覆部の内側に没入可能である、ことも可能である。
【００１３】
また、前記ポケット本体部の外側面に、吸湿性部材が取り付けられている、ことも可能である。
【００１４】
また、前記吸湿性部材は、前記ポケット本体部に対して交換可能である、ことも可能である。
【００１５】
また、前記ポケット本体部の外側面に、前記視覚用窓部の内側面に生じた曇りを拭うことができるワイパー部材が取り付けられている、ことも可能である。
【００１６】
また、前記ワイパー部材は、ゴム製である、ことも可能である。
【００１７】
また、前記ワイパー部材は、前記ポケット本体部に対して交換可能である、ことも可能である。
【００１８】
また、前記ポケット口から前記ポケット本体部の内側面の先端部までの深さは、前記着用者の指を挿入できる深さである、ことも可能である。
【００１９】
また、その一方の端部が前記ポケット本体部の内側面に固着され、その他方の端部は前記ポケット口から露出しており、前記着用者が前記他方の端部を操作することで、前記視覚用窓部の内側面に生じた曇りの掻き取り操作をする、操作アーム部を有する、ことも可能である。
【００２０】
また、前記操作アーム部は、略棒状のアーム本体を有し、
前記アーム本体の、前記ポケット口から露出している前記他方の端部に、前記着用者が把持する、前記アーム本体よりも幅広形状の把持部を有する、ことも可能である。
【００２１】
また、前記防護衣は、細菌乃至ウィルスの前記着用者への感染を防護する感染防護衣、化学薬品の前記着用者への汚染を防止する化学防護衣、若しくは、放射線の前記着用者への被爆を防止する放射線防護衣のいずれかである、ことも可能である。
【００２２】
また、上記目的を達成するため、この発明の第二の観点に係る曇り除去構造は、
着用者の頭部を被覆する頭部被覆部に形成され、前記着用者が周囲を認識できる視覚用窓部、の周辺に形成されたポケット口と、
その開口端部が前記ポケット口と一体的に接合されている袋状のポケット本体部と、を有し、
前記着用者が前記ポケット口から手を挿入して前記ポケット本体部で前記視覚用窓部の内側面に生じた曇りを拭うことができる、ことを特徴とする。
【発明の効果】
【００２３】
本発明の防護衣によれば、頭部被覆部に形成された視覚用窓部が着用者の呼気等で曇ったとしても、迅速かつ的確に視覚用窓部の曇りを簡易に除去できる。
【図面の簡単な説明】
【００２４】
【図１】実施形態１に係る防護衣の外観を説明する図である。
【図２】実施形態１に係る防護衣を着用者が着用している状態を上方から説明する図である。
【図３】着用者が曇り除去部を使用して視覚用窓部の曇りを除去するようすを説明する図であり、そのうち（ａ）はポケット口に手を近づける図であり、（ｂ）はポケット口に手を挿入する図であり、（ｃ）はポケット本体で視覚用窓部をぬぐう図である。
【図４】ポケット本体部をポケット口から頭部被覆部の外側に突出させるようすを説明する図である。
【図５】ポケット本体部に吸湿性部材が設けられているようすを説明する図である。
【図６】ポケット本体部にワイパー部材が設けられているようすを説明する図である。
【図７】頭部被覆部の一方の側面にポケット口が形成されているようすを説明する図である。
【図８】頭部被覆部の頭頂部にポケット口が形成されているようすを説明する図である。
【図９】操作アーム部が設けられているようすを説明する図である。
【図１０】操作アーム部が設けられているようすを上方から説明する図である。
【発明を実施するための形態】
【００２５】
以下、本実施形態に係る防護衣９００を、図面を参照して説明するが、これらの実施形態は本発明の範囲を限定するものではない。
【００２６】
（第１の実施形態）
本実施形態に係る防護衣９００は、図１に示されるように、頭部被覆部１１０と、胴体被覆部１２０と、腕被覆部１３０と、脚被覆部１４０と、手袋３００と、足被覆部４００と、を有して構成される。
【００２７】
頭部被覆部１１０と、胴体被覆部１２０と、腕被覆部１３０と、脚被覆部１４０と、は一体的に隙間無く接合されており、防護衣９００はつなぎ服タイプである。頭部被覆部１１０は袋状であり、図２に示されるように着用者７００の頭部全体を被覆する。
【００２８】
図１に示されるように、腕被覆部１３０の袖先には、緊締手段としてのリング状ゴム１３１が設けられている。リング状ゴム１３１が、着用者７００の手首を緊締し、これにより気密性が高められる。
【００２９】
手袋３００は、着用者７００の両手にはめられる。手袋３００は、着用者７００の手の掌、甲、指、手首を被覆する。着用者７００は、手袋３００の着脱口部３１０の中に腕被覆部１３０の袖先をいれながら、手袋３００をはめる。
【００３０】
手袋３００の着脱口部３１０にはリング状ゴム３１１が設けられている。リング状ゴム３１１は、腕被覆部１３０の上から着用者７００の手首を緊締し、これにより気密性が向上する。
【００３１】
図１に示されるように、脚被覆部１４０の袖先には、緊締手段としてのリング状ゴム１４１が設けられている。リング状ゴム１４１が、着用者７００の足首を緊締し、これにより気密性が高められる。脚被覆部１４０は着用者７００の脚を被覆し、脚とは、足首から、脛、膝、腿までをいう。
【００３２】
足被覆部４００は、着用者７００の両足にはめられる。着用者７００は、足被覆部４００の着脱口部４１０の中に脚被覆部１４０の裾先をいれながら、足被覆部４００をはめる。足被覆部４００は着用者７００の足を被覆し、足とは、脚末梢端である接地部足底から足首に至るまでをいう。
【００３３】
足被覆部４００の着脱口部４１０にはリング状ゴム４１１が設けられている。リング状ゴム４１１が、脚被覆部１４０の上から着用者７００の脚を緊締し、これにより気密性が向上する。
【００３４】
胴体被覆部１２０には、図示されていないスライドファスナが設けられている。防護衣９００を着用する際には、このスライドファスナのスライダーを下げて身体を防護衣９００内部に入れる。そしてスライダーを上げて密閉性を確保する。
【００３５】
なお、防護衣９００が、例えば航空機搭乗員用感染防護衣である場合は、着用者７００は救命胴衣や飛行ヘルメット等の装備品を着用したままで、防護衣９００を着用する。そのため、袋状の頭被覆部１１０は、例えば、着用者７００の頭部を飛行ヘルメットを装着したまま収容できるサイズである。
【００３６】
頭部被覆部１１０には、着用者７００が周囲を認識できる視覚用窓部１５０と、着用者７００の呼吸を可能とするマスク呼吸器１９０と、曇り除去部２００と、が形成されている。
【００３７】
視覚用窓部１５０は、例えば長方形であり、着用者７００が周囲を認識できるように透明性を有している。ここで透明性を有しているとは、完全に透明であるか、若しくは、着用者７００が周囲から差し込む日光等を遮光するために半透明である場合も含まれる。視覚用窓部１５０は、着用者７００が周囲を認識しやすいように、例えば、頭部被覆部１１０の前方向かつ中央部に形成されている。視覚用窓部１５０は、例えば、ポリカーボネートなどの透明プラスチックで形成される。
【００３８】
マスク呼吸器１９０は、外気が例えばウイルス等で汚染されていても新鮮な空気を吸入できるように、図示されていないフィルタ等を有しており、該フィルタを介して、着用者７００は呼吸することができる。
【００３９】
曇り除去部２００は、図１に示されるように、視覚用窓部１５０の周辺に形成されたポケット口２１０と、その開口端部がポケット口２１０と一体的に接合されている袋状のポケット本体部２２０と、を有する。
【００４０】
ポケット口２１０は、図１及び図２に示されるように、頭部被覆部１１０の左右の側面部にそれぞれ形成されている。ここで、頭部被覆部１１０の左右の側面部とは、頭部被覆部１１０における、視覚用窓部１５０のそれぞれの左右両端部から斜め後方４５度までの範囲における部分をいう。なお、図２は、着用者７００が防護衣９００を着用した様子を垂直上方から説明する図であり、理解を促進させるために、着用者７００や曇り除去部２００は実線で記載する。
【００４１】
本実施形態では、図２に示されるように、曇り除去部２００のポケット口２１０は、例えば斜め前方４５度付近に形成されている。
【００４２】
ポケット口２１０は、着用者７００の手を挿入することができるような大きさの開口である。ポケット口２１０は、例えば円形の開口であるが、これに限定されず、楕円形の開口等、着用者７００が手を挿入することができる形状であるならば特定の形状に限定されない。
【００４３】
ポケット本体部２２０は、ポケット口２１０からポケット本体部２１０の内側面の先端部までの深さが、例えば、着用者７００の指を挿入できる深さ（即ち、着用者７００の指の長さ）である。ポケット本体部２２０の深さをこのように構成することで、着用者７００は手をポケット口２１０から挿入し、指でポケット本体部２２０を操作して、曇りが生じている視覚用窓部１５０の内面を拭うことができる。なお、ポケット本体部２２０の内側面とは、後述するように、ポケット本体部２２０をポケット口２１０から頭部被覆部１１０の内側に没入させた場合における、袋状のポケット本体部２２０の内側の面をいう。
【００４４】
ポケット本体部２２０の内側面の先端部には、着用者７００の指をかけることができるリング部２３０が形成されている。リング部２３０は、例えば、着用者７００の指を一本挿入して、指をかけることができる大きさの直径であるが、これに限定されず、着用者７００の指を複数本挿入して、指をかけることができる大きさの直径とすることも可能である。
【００４５】
防護衣９００は、例えば、細菌乃至ウィルスの着用者７００への感染を防護する感染防護衣、若しくは、化学薬品の着用者７００への汚染を防止する化学防護衣として利用できる。
【００４６】
かかる場合、防護衣９００を形成する生地は、例えば、ノーメックス等の難燃性生地やナイロン生地等と病原菌及び有毒化学物質に対して非透過性の多孔質フィルムをラミネートした生地や、同じく病原菌や有毒化学物質に対して非透過性のポリエチレンあるいはポリプロピレン等のスパンボンド不織布にコーティング加工等を施した生地である。また、これらの多孔質フィルムやスパンボンド不織布は、生物兵器の病原菌であるバクテリアやウィルス等（例えば、疽菌、コレラ菌、野兎病菌、Ｑ熱、天然痘、ベネズエラ馬脳炎、エボラ熱、ボツリヌス菌毒素、ブドウ球菌性腸毒素等）や、化学兵器の薬剤である有毒化学物質（例えば、サリン、ソマン、ＶＸガス、硫黄マスタード、蒸留マスタード、窒化マスタード、マスターゲン、ルイサイト、ホスゲン、シアン化水素、塩化シアン、アルシン等）は透過させにくい。さらには、これらの多孔質フィルムやスパンボンド不織布は湿気を透過させる材質であり、そのため着用者７００が汗で蒸れにくい。なお、このような多孔質フィルムとしては、例えば、ポリテトラフルオロエチレン（PTFE）等が、スパンボンド不織布としては、ポリエチレンやポリプロピレンの連続性極細繊維を高熱で結合させたもの等を使用することができる。
【００４７】
また、防護衣９００は、放射線の着用者７００への被爆を防止する放射線防護衣として利用することができる。かかる場合は、防護衣９００は、アルファ線、ベータ線、中性子線、Ｘ線及びガンマ線の透過量を下げる放射線遮蔽素材で形成される。また、例えば、防護衣９００を形成する生地の上に、ガドリニウム、硼素、リチウム、インジウム等を含有する放射線遮断物質を塗布することも可能である。
【００４８】
次に、図３を参照しながら、着用者７００が曇り除去部２００を利用して、視覚用窓部１５０の内側面に生じた曇りを除去する場合の使用例を説明する。
【００４９】
まず、図３（ａ）に示されるように、着用者７００は、手袋３００で覆われた左右の手を、頭部被覆部１１０の左右の側面部に形成されているポケット口２１０にそれぞれ近づける。
【００５０】
次に、図３（ｂ）に示されるように、着用者７００は、左右のポケット口２１０の内部に、着用者７００の指の背中が視覚用窓部１５０に対向するように、左右の手をそれぞれ挿入する。
【００５１】
そして、図３（ｃ）に示されるように、着用者７００は、左右のポケット口２１０の内部に挿入した左右の手で、ポケット本体２２０を視覚用窓部１５０の内面に押しつけ、ポケット本体２２０で視覚用窓部１５０の内面をぬぐうようにして、視覚用窓部１５０の内面に生じた曇りを除去する。即ち、着用者７００の指の背中でポケット本体２２０を視覚用窓部１５０に押しつけ、視覚用窓部１５０に生じた曇りを拭うのである。ここで指の背中とは、爪が存在する指の硬組織部である。
【００５２】
なお、本実施形態では、着用者７００の指の背中でポケット本体２２０を視覚用窓部１５０に押しつけ、視覚用窓部１５０に生じた曇りを拭っているが、このような使用形態に限定されることはない。着用者７００の手の甲や、指の腹でポケット本体２２０を視覚用窓部１５０に押しつけ、視覚用窓部１５０に生じた曇りを拭うことも可能である。ここで指の腹とは、指紋が存在する指の軟組織部である。
【００５３】
曇り除去部２００が、図２に示されるように、頭部被覆部１１０の内部に収納されている場合（即ち、ポケット本体部２２０が、ポケット口２１０から頭部被覆部１１０の内側に没入している場合）は、着用者７００が、ポケット本体部２２０の存在を煩わしく感じることもありうる。かかる場合は、図４に示されるように、ポケット口２１０からポケット本体部２２０を頭部被覆部１１０の外側に突出させることが可能である。これにより、着用者７００は、防護衣９００の使用時に、ポケット本体部２２０の存在につき、煩わされることはない。
【００５４】
また、ポケット本体部２２０の内側面が湿気などにより湿った場合も、図４に示すように、ポケット口２１０からポケット本体部２２０を頭部被覆部１１０の外側に突出させることが可能である。これにより、ポケット本体部２２０の内側面を乾燥させることができる。
【００５５】
一方、図４に示されるように、ポケット口２１０からポケット本体部２２０を頭部被覆部１１０の外側に突出させる場合、ポケット本体部２２０が着用者７００の周囲に存在する障害物、突起物等に衝突することも考えられる。このようなおそれがある場合は、ポケット口２１０から頭部被覆部１１０の外側に突出させたポケット本体部２２０を、図２に示されるように、ポケット口２１０から頭部被覆部１１０の内側に没入させることができる。
【００５６】
（第２の実施形態）
第２の実施形態に係る防護衣９００は、図５に示されるように、ポケット本体部２２０の外側面に吸湿性部材２４０が取り付けられている。ここで、吸湿性部材２４０における吸湿性とは、視覚用窓部１５０の内面に生じた水滴、水蒸気等による曇りを吸収することで、視覚用窓部１５０の内面に生じた曇りを除去できる性質をいう。また、ポケット本体部２２０の外側面とは、ポケット本体部２２０をポケット口２１０から頭部被覆部１１０の内側に没入させた場合における、袋状のポケット本体部２２０の外側の面をいう。
【００５７】
吸湿性部材２４０は、例えば、布等で形成することができ、さらに具体的には、例えば、東洋紡機能繊維シルフローラ（Ｓｉｌｆｌｏｒａ）Ｘ（テン）を使用することができる。
【００５８】
吸湿性部材２４０は、ポケット本体部２２０の外側面に接着剤等を使用することで固着させておくことができる。
【００５９】
また、吸湿性部材２４０は、ポケット本体部２２０の外側面に対して交換可能に構成することも可能である。例えば、ポケット本体部２２０の外側面に面ファスナーのループを接着剤等で固着させておく。一方で、布製の吸湿性部材２４０の一方の面に面ファスナーのフックを接着剤等で固着させておく。そして、吸湿性部材２４０をポケット本体部２２０に対して取り付ける際には、吸湿性部材２４０の面ファスナーのフックとポケット本体部２２０の面ファスナーのループとを結びつけて係合させる。吸湿性部材２４０をポケット本体部２２０から取り外す際には、吸湿性部材２４０の面ファスナーのフックとポケット本体部２２０の面ファスナーのループとの係合をはずす。このようにして、面ファスナーを利用して、吸湿性部材２４０をポケット本体部２２０に対して交換可能に構成することができる。そのため、かかる構成によれば、仮に、吸湿性部材２４０が汚れたとしても、簡単に新しい吸湿性部材２４０に交換することができる。
【００６０】
（第３の実施形態）
第３の実施形態に係る防護衣９００は、図６に示されるように、ポケット本体部２２０の外側面にワイパー部材２５０が取り付けられている。ワイパー部材２５０は、ゴム製であり、視覚用窓部１５０の内側面に生じた曇りを拭うことができる。
【００６１】
ワイパー部材２５０の、視覚用窓部１５０の内側面に当接する当接部は、視覚用窓部１５０の内側面に生じた曇りを掻き取りやすいように、断面が略三角錐形状の掻き取り刃（エッジ）が形成されている。
【００６２】
ワイパー部材２５０を形成するゴムは、弾力性を有するゴムが好ましく、例えば、ＮＲゴム（天然ゴム）、ＣＲゴム（クロロプレンゴム）、ＥＰＤＭゴム（エチレンプロピレンジエンモノマーゴム）等の合成ゴムを使用することができる。
【００６３】
ワイパー部材２５０は、ポケット本体部２２０の外側面に接着剤等を使用することで固着させておくことができる。
【００６４】
また、ワイパー部材２５０は、第２の実施形態と同様に面ファスナーを使用することで、ポケット本体部２２０の外側面に対して交換可能に構成することも可能である。面ファスナーを利用して、ワイパー部材２５０をポケット本体部２２０に対して交換可能に構成すれば、仮に、ワイパー部材２５０の弾性が失われて、水分を掻き取る効果が弱くなってきたとしても、簡単に新しいワイパー部材２５０に交換することができる。
【００６５】
（第４の実施形態）
第１及び第２の実施形態における防護衣９００においては、ポケット口２１０は、頭部被覆部１１０の左右の側面部にそれぞれ形成されていた。しかしながら、本発明はそのような実施形態に限定されない。
【００６６】
第３の実施形態に係る防護衣９００は、図７に示されるように、ポケット口２１０は、頭部被覆部１１０の左右のいずれかの側面部のいずれか一方に形成されており、例えば、頭部被覆部１１０の左側の側面部にポケット口２１０を形成することができる。
【００６７】
本実施形態では、着用者７００は、ポケット口２１０の内部に、左手を挿入し、ポケット口２１０の内部に挿入した左手で、ポケット本体２２０を視覚用窓部１５０の内面に押しつけ、ポケット本体２２０で視覚用窓部１５０の内面をぬぐうようにして、視覚用窓部１５０の内面に生じた曇りを除去する。そのため、第１及び第２の実施形態における防護衣９００よりも、ポケット口２１０からポケット本体部２２０の内側面の先端部までの深さを、より長く形成することが好ましい。例えば、ポケット口２１０からポケット本体部２２０の内側面の先端部までの深さを、着用者７００の指の先端から手首付近までの長さとすることが好ましい。
【００６８】
本実施形態では、ポケット口２１０を頭部被覆部１１０に一つだけ形成するので、防護衣９００の構造を簡易化させ、製造コストを低減させることができる可能性がある。
【００６９】
（第５の実施形態）
第１、第２及び第３の実施形態における防護衣９００においては、ポケット口２１０は、頭部被覆部１１０の側面部に形成されていた。しかしながら、本発明はそのような実施形態に限定されない。
【００７０】
第４の実施形態に係る防護衣９００は、図８に示されるように、ポケット口２１０は、頭部被覆部１１０の頭頂部に形成されている。ここで、頭部被覆部１１０の頭頂部とは、頭部被覆部１１０における、視覚用窓部１５０の上端部から垂直頂点部までの範囲における部分をいう。
【００７１】
本実施形態では、着用者７００は、頭頂部にあるポケット口２１０の内部に、左手若しくは右手を挿入し、ポケット口２１０の内部に挿入したいずれかの手で、ポケット本体２２０を視覚用窓部１５０の内面に押しつけ、ポケット本体２２０で視覚用窓部１５０の内面をぬぐうようにして、視覚用窓部１５０の内面に生じた曇りを除去する。この第４の実施形態では、第３の実施形態と同様に、ポケット口２１０からポケット本体部２２０の内側面の先端部までの深さを、より長く形成することが好ましい。
【００７２】
本実施形態では、防護衣９００の構造を簡易化させるのみならず、ポケット口２１０を頭部被覆部１１０の頭頂部に形成することで、視覚用窓部１５０の上部付近に生じた曇りを除去しやすいという利点がある。
【００７３】
（第６の実施形態）
第６の実施形態に係る防護衣９００は、図９に示されるように、着用者７００が操作をすることでポケット本体部２２０を操作する、操作アーム部２９０が形成されている。
【００７４】
操作アーム部２９０は、棒状のアーム本体で構成されており、例えば金属やプラスチック等で形成される。操作アーム部２９０の一方の端部２９１は、ポケット本体部の内側面に固着されている。操作アーム部２９０の他方の端部２９２は、ポケット口２１０から露出している。
【００７５】
図１０に示されるように、着用者７００は、他方の端部２９２を操作することで、視覚用窓部１５０の内側面に生じた曇りの掻き取り操作をすることができる。
【００７６】
図９に示されるように、操作アーム部２９０の他方の端部２９２には、棒状のアーム本体よりも幅広形状の把持部が形成されている。把持部は略楕円のリング形状であり、着用者７００が把持し易い形状である。なお、把持部の形状は略楕円のリング形状に限定されず、着用者７００が把持しやすいものであるならば、円柱状、直方体形状等の種々の形状が可能である。
【００７７】
本実施形態のように、操作アーム部２９０を設ける構成によれば、ポケット口２１０から着用者７００が指乃至手を挿入する必要がなくなるので、ポケット口２１０を比較的に幅狭に構成することができる。ポケット口２１０を幅狭に構成すれば、例えば、ポケット口２１０を幅広く形成するよりも防護衣９００の気密性を上昇させることも可能である。また、操作者７００は、操作アーム部２９０の他方の端部２９２を把持して操作するので、わずかな最小限の動きで視覚用窓部１５０の内側面に生じた曇りの掻き取り操作ができる。
【００７８】
（その他の実施形態）
足被覆部４００の接地面に滑り止め部材を設けることも可能である。滑り止め部材としては、例えば、発泡ウレタンからなる薄型のスポンジ板を足被覆部４００の接地面に貼り付けることが可能である。また、例えば、ポリウレタン溶液を足被覆部４００の接地面に塗布形成することも可能である。さらには、足被覆部４００の接地面自体に複数の凸状突起を設け、足被覆部４００の接地面の摩擦力を大きくすることも可能である。
このような滑り止め部材は、足被覆部４００の接地面の全体に設けることも可能であるし、また、踵部分と土踏まず部分の両方若しくは一方に設けることも可能である。
【００７９】
本発明の防護衣９００は、生地の内面に抗菌・抗ウィルス材を印刷加工することが可能である。例えば酸化に弱いウィルス・菌の場合はスーパーオキサイド等を発生させる光触媒であるリン酸チタニアを抗菌・抗ウィルス材として用いることができる。また、ウィルス・菌の有する電荷と反対の電荷を帯びた帯電性部材を抗菌・抗ウィルス材として用いることもできる。
【００８０】
防護衣９００は使い捨てすることが好ましく、使用後は廃棄される。防護衣９００は、汚染地域の飛行により汚染された可能性がある場合でも廃棄することが好ましい。また、防護衣９００を経済的に使用するため、使い捨てとするのではなく、使用後は洗浄等することにより、複数回の連続使用も可能である。
【符号の説明】
【００８１】
１１０    頭部被覆部
１２０    胴体被覆部
１３０    腕被覆部
１４０    脚被覆部
１５０    視覚用窓部
１９０    マスク呼吸器
２００    曇り除去部
２１０    ポケット口
２２０    ポケット本体部
２３０    リング部
２４０    吸湿性部材
２５０    ワイパー部材
２９０    操作アーム部
３００    手袋
３１０    着脱口部
４００    足被覆部
４１０    着脱口部
７００    着用者
９００    防護衣
【図１】
0005465597.tif 000002
【図２】
0005465597.tif 000003
【図３】
0005465597.tif 000004
【図４】
0005465597.tif 000005
【図５】
0005465597.tif 000006
【図６】
0005465597.tif 000007
【図７】
0005465597.tif 000008
【図８】
0005465597.tif 000009
【図９】
0005465597.tif 000010
【図１０】
0005465597.tif 000011